(57)【要約】【課題】著作権保護機能を維持したうえでユーザーの使用性を向上させる。【解決手段】第２の記録媒体（ＨＤＤ）には、第１の記録媒体（ＭＤ等）に記録されているデータは、記録媒体の種別やデータ属性によって移動（ムーブ）可能とする。つまりＳＣＭＳコンテンツのように第２世代のデジタルコピーが禁止されるものであっても、ＨＤＤでホームサーバに登録してチェックアウト／チェックイン管理できるようにする。移動許可の条件としては、第１の記録媒体においてデータ消去が可能であり、コピーではなくムーブ動作とできること、第１の記録媒体がＳＣＭＳ等の第２世代へのコピーが禁止される規格を採用したメディアであること、などとする。【選択図】　　　　図３
2004054988.tif 000002
【特許請求の範囲】
【請求項１】
第１の記録媒体の種類を識別する記録媒体種類識別手段と、
上記第１の記録媒体に記録されているデータが消去可能か否かを検出する検出手段と、
上記記録媒体種類識別手段による識別結果、及び上記検出手段による検出結果に応じて、上記第１の記録媒体に記録されているデータの読出、及び当該読み出されたデータについて第２の記録媒体への記録のための仮記録を実行させるデータ移動制御手段と、
上記第１の記録媒体から上記データが消去された状態にする消去制御手段と、
上記消去制御手段の制御により上記データが上記第１の記録媒体から消去されたとき、上記仮記録された上記データを第２の記録媒体に記録された状態とする記録制御手段と、
を備えることを特徴とする記録装置。
【請求項２】
上記データ移動制御手段は、上記記録媒体種類識別手段により、上記第１の記録媒体が第２世代のデジタルコピーを禁止する記録媒体であることが識別され、且つ上記検出手段により、上記第１の記録媒体に記録されるデータが消去可能であると検出されたときに、上記第１の記録媒体に記録されているデータの読出、及び当該読み出されたデータについて第２の記録媒体への記録のための仮記録を実行させることを特徴とする請求項１に記載の記録装置。
【請求項３】
上記検出手段は、さらに、上記第１の記録媒体に記録されているデータが上記第２の記録媒体から複製されたデータであるか否かを検出し、
上記データ移動制御手段は、上記検出手段により、上記第１の記録媒体に記録されているデータが上記第２の記録媒体から複製されたデータであると検出された場合は、上記第１の記録媒体に記録されているデータの読出及び当該読み出されたデータについて第２の記録媒体への記録のための仮記録の実行を禁止することを特徴とする請求項１に記載の記録装置。
【請求項４】
上記記録制御手段は、上記第２の記録媒体に記録した上記データについて、所定回数だけ他の記録媒体に複製する権利を備えるように管理させるとともに、
上記第２の記録媒体に記録された上記データについては、上記複製する権利が上記所定回数残されているときのみ、上記第２の記録媒体から上記第１の記録媒体もしくは他の記録媒体へのデータ移動を許可する再移動制御手段を、さらに備えることを特徴とする請求項１に記載の記録装置。
【請求項５】
上記記録制御手段は、上記第２の記録媒体に記録した上記データについて、所定回数だけ他の記録媒体に複製する権利を備えるように管理させるとともに、
上記第２の記録媒体に記録される上記データを第３の記録媒体に複製する際には上記複製する権利の数を一減算するように管理し、
さらに、上記第３の記録媒体に複製したデータを上記第２の記録媒体へ移動させた際には、上記第２の記録媒体に移動されたデータについて他の記録媒体に複製する権利を有さないように管理させることを特徴とする請求項１に記載の記録装置。
【請求項６】
上記記録制御手段は、上記第２の記録媒体に記録した上記データについて、所定回数だけ他の記録媒体に複製する権利を備えるように管理させるとともに、
上記第２の記録媒体に記録される上記データを第３の記録媒体に複製する際には上記複製する権利の数を一減算するように管理し、
さらに、上記第３の記録媒体に複製したデータを第４の記録媒体へ移動させた際には、上記第４の記録媒体に移動されたデータについて他の記録媒体に複製する権利を有さないように管理させることを特徴とする請求項１に記載の記録装置。
【請求項７】
第１の記録媒体の種類を識別し、
上記第１の記録媒体に記録されているデータが消去可能か否かを検出し、
上記識別の結果、及び上記検出の結果に応じて、上記第１の記録媒体に記録されているデータの読出、及び当該読み出されたデータについて第２の記録媒体への記録のための仮記録を実行させ、
上記第１の記録媒体から上記データが消去された状態に制御し、
上記データが上記第１の記録媒体から消去されたとき、上記仮記録された上記データを第２の記録媒体に記録された状態となるように制御することを特徴とする記録方法。
【請求項８】
第１の記録媒体の種類を識別し、
上記第１の記録媒体に記録されているデータが消去可能か否かを検出し、
上記識別の結果、及び上記検出の結果に応じて、上記第１の記録媒体に記録されているデータの読出、及び当該読み出されたデータについて第２の記録媒体への記録のための仮記録を実行させ、
上記第１の記録媒体から上記データが消去された状態に制御し、
上記データが上記第１の記録媒体から消去されたとき、上記仮記録された上記データを第２の記録媒体に記録された状態となるように制御する処理を実行させるプログラム。
【請求項９】
第１の記録媒体の種類を識別し、
上記第１の記録媒体に記録されているデータが消去可能か否かを検出し、
上記識別の結果、及び上記検出の結果に応じて、上記第１の記録媒体に記録されているデータの読出、及び当該読み出されたデータについて第２の記録媒体への記録のための仮記録を実行させ、
上記第１の記録媒体から上記データが消去された状態に制御し、
上記データが上記第１の記録媒体から消去されたとき、上記仮記録された上記データを第２の記録媒体に記録された状態となるように制御する処理を実行させるプログラムを記録したプログラム記録媒体。
【発明の詳細な説明】
【０００１】
【発明の属する技術分野】
本発明は、記録装置と、この記録装置における記録方法と、該記録方法を実現するプログラムと、該プログラムが記録された記録媒体に関するものである。
【０００２】
【従来の技術】
ユーザーの所有するオーディオビジュアル機器として各種のものが普及しており、いわゆる音楽ソフトや映像ソフトを個人で楽しむことが一般化している。
例えばユーザーがＣＤ（Ｃｏｍｐａｃｔ　Ｄｉｓｃ）、ＭＤ（Ｍｉｎｉ　Ｄｉｓｃ）、ＤＶＤ（Ｄｉｇｉｔａｌ　Ｖｅｒｓａｔｉｌｅ　Ｄｉｓｃ）などのディスク記録媒体に対応するオーディオシステムなどを所有し、パッケージメディアとして販売されている所望のＣＤ、ＭＤ、ＤＶＤ等を購入してコンテンツを再生させたり、或いは記録可能なメディアに自分の好みの選曲で録音を行うなどのことが行われている。
【０００３】
また、オーディオビジュアル機器としては、例えばＨＤＤ（ハードディスク）などの大容量メディアを利用してオーディオデータファイルやビデオデータファイルを蓄積する記録再生装置が開発されている。
このような記録再生装置において、ユーザーは、例えばＣＤなどのパッケージメディアに収録されている音楽コンテンツ等を、ＨＤＤのような大容量メディアにダビング記録する、所謂リッピングを行うことができる。
また記録再生装置をインターネット等のネットワークと接続可能とし、外部サーバから音楽コンテンツをダウンロードし、ＨＤＤに格納することもできる。
このように記録再生装置内でＨＤＤのような大容量の記録媒体を用い、リッピングやダウンロード可能とすることで、例えばユーザーは所有する多数のＣＤ等における楽曲やダウンロードした楽曲などを記録再生装置内に格納し、任意に再生を楽しむことができる。
【０００４】
また、このようなＨＤＤ等を用いた記録再生装置は、ＨＤＤを音楽コンテンツのライブラリとして用い、ホームサーバ的にも使用できる。即ちＨＤＤに格納したコンテンツデータを転送して他の記録媒体（二次記録媒体）に記録し、その二次記録媒体側で音楽等の再生を楽しむという使用形態がある。
例えばユーザーは、当該記録再生装置に設けられたディスクドライブなどに二次記録媒体を装着し、或いは外部機器としての二次記録媒体の記録装置を接続して、ＨＤＤに蓄積されたコンテンツデータを二次記録媒体にコピー（複製）する。
すると、その二次記録媒体に対応する再生装置で音楽等のコンテンツデータを再生させることができる。例えば二次記録媒体をＭＤやメモリカード、二次記録媒体に対応する再生装置を携帯用のＭＤプレーヤやメモリカードプレーヤなどとすれば、ユーザーはホームサーバ（上記ＨＤＤ記録再生装置）に蓄積した音楽コンテンツを外出先でも楽しむことができる。
【０００５】
ところで、例えばこのようなコンテンツデータの使用形態を考えるときは、コンテンツデータについての著作権保護を考慮しなければならない。例えばユーザーがコンテンツデータの配信サービスを利用したり、パッケージメディアの購入を行うなどして、ＨＤＤにコンテンツデータを蓄積した後、そのコンテンツデータを無制限に二次記録媒体にコピー可能とすると、著作権者の正当な保護がはかれない事態が生ずる。このためデジタルデータとしてのコンテンツデータの扱い上で著作権保護を維持できるようにする様々な技術やデータ処理上の取り決めが提案されているが、その１つにＳＤＭＩ（ＳＥＣＵＲＥ　ＤＩＧＩＴＡＬ　ＭＵＳＩＣ　ＩＮＩＴＩＡＴＩＶＥ）という規格がある。
【０００６】
ＳＤＭＩ規格によれば、ＨＤＤに格納されたコンテンツは、所定のルールのもとで二次記録媒体にコピー可能とされる。詳述は避けるが、コピーの際の機器間の認証、暗号化伝送、チェックイン／チェックアウトルールなどの条件がある。
チェックイン／チェックアウトルールについて簡単に述べておく。
一次記録媒体（ＨＤＤ）から二次記録媒体（ＭＤ、メモリカード等）に対してのコピー転送は「チェックアウト」と呼ばれる。逆に二次記録媒体にチェックアウトしたデータを一次記録媒体へ戻すムーブ（移動）転送は「チェックイン」と呼ばれる。なお二次記録媒体から一次記録媒体へのムーブの場合は、二次記録媒体上では当該コンテンツデータは消去された状態となる。
ＳＤＭＩにおける転送のルールとしては、１つのコンテンツデータにつき例えば３回までのチェックアウトが許されるなど、チェックアウトが許可される上限回数（チェックアウト権利回数）が定められている。
従って、例えば３つの二次記録媒体まではコピーが許可される。またチェックインが行われた場合は、そのコンテンツデータについてのチェックアウト許可回数が１つ回復されるものとなる。このため、例え３つの二次記録媒体にコピーした後であっても、そのうちの１つの二次記録媒体からチェックインさせれば、そのコンテンツはさらにもう一度、二次記録媒体にコピー可能とされる。つまり、常に最大３つの二次記録媒体にコンテンツデータが併存することが許されるものとなり、逆に言えば、それ以上のコンテンツ拡散は禁止されるものとなる。
【０００７】
【発明が解決しようとする課題】
ところで、著作権保護を目的とする手法として、従来よりＳＣＭＳ（Ｓｅｒｉａｌ　Ｃｏｐｙ　Ｍａｎａｇｅｍｅｎｔ　Ｓｙｓｔｅｍ）が知られている。このＳＣＭＳはオーディオデータ等のデジタルコピーを制限することで、無制限なデジタルコピーによる音楽コンテンツデータの氾濫を防ぎ、著作権保護をはかるものである。例えばＭＤやＣＤにおいて採用されている。
具体的には、ＣＤ等のデジタルデータメディアからのデジタルコピーは、ＭＤやＣＤ−Ｒ、ＣＤ−ＲＷなどの記録可能メディアに対して１世代のみ許可するシステムである。そしてＭＤ等にデジタルコピーされた音楽コンテンツデータは、そのＭＤ等から他のメディアに対して、さらにコピーすることはできないものとされる。
【０００８】
なお、説明の都合上、ＣＤ等からＳＣＭＳ方式でＭＤ等にコピーされたデータを「ＳＣＭＳデータ」又は「ＳＣＭＳコンテンツ」と呼ぶ。
また上述のチェックアウトによって、ＨＤＤ等からＭＤ等にコピーされたデータを「チェックアウトデータ」又は「チェックアウトコンテンツ」と呼んで区別する。
【０００９】
上述のようにＨＤＤをホームサーバ（ライブラリ）として使用し、チェックアウト／チェックイン管理が行われるのは、ＣＤ等からリッピングしたコンテンツや、外部サーバからダウンロードしたコンテンツである。
ここで、ユーザーが、ＳＣＭＳコンテンツを記録したＭＤ等を所有していたとする。このユーザーにとっては、ＳＣＭＳコンテンツとしての音楽についてもＨＤＤにおいてライブラリとして格納し、利用したいものとなる。
例をばユーザーが、携帯用のメモリカードプレーヤを所有しているとすると、そのユーザーは、ＭＤに記録してあるＳＣＭＳコンテンツをＨＤＤに格納し、そのＨＤＤからメモリカードへチェックアウトさせて、その音楽を外出先などでメモリカードプレーヤによって楽しみたい。
【００１０】
しかしながらＳＣＭＳコンテンツは、さらなるデジタルコピーは禁止されるものとされており、このためＨＤＤへのコピーも禁止される。
また換言すれば、ＳＣＭＳコンテンツをＨＤＤライブラリへのコピーを可能とするような機器を用意することは、禁止されている複製が実現されることでＳＣＭＳの趣旨に反するものとなり、適切ではない。
結局、ユーザーにとっては、著作権侵害とならない私的利用の範囲であるにもかかわらず、ＳＣＭＳコンテンツとして所有している音楽をホームサーバ上で利用することができないものとなる。
【００１１】
【課題を解決するための手段】
本発明はこのような事情に応じて、ユーザーがＳＣＭＳコンテンツのように第２世代のデジタルコピーが禁止されるものであっても、ホームサーバ（音楽ライブラリ）に登録してチェックアウト／チェックイン管理できるようにすることで、ユーザーの使用性を向上させるとともに、その一方で、ＳＣＭＳやＳＤＭＩによる著作権保護機能を確実に維持できるようにすることを目的とする。
【００１２】
本発明の記録装置は、第１の記録媒体の種類を識別する記録媒体種類識別手段と、上記第１の記録媒体に記録されているデータが消去可能か否かを検出する検出手段と、上記記録媒体種類識別手段による識別結果、及び上記検出手段による検出結果に応じて、上記第１の記録媒体に記録されているデータの読出、及び当該読み出されたデータについて第２の記録媒体への記録のための仮記録を実行させるデータ移動制御手段と、上記第１の記録媒体から上記データが消去された状態にする消去制御手段と、上記消去制御手段の制御により上記データが上記第１の記録媒体から消去されたとき、上記仮記録された上記データを第２の記録媒体に記録された状態とする記録制御手段とを備える。
また、上記データ移動制御手段は、上記記録媒体種類識別手段により、上記第１の記録媒体が第２世代のデジタルコピーを禁止する記録媒体であることが識別され、且つ上記検出手段により、上記第１の記録媒体に記録されるデータが消去可能であると検出されたときに、上記第１の記録媒体に記録されているデータの読出、及び当該読み出されたデータについて第２の記録媒体への記録のための仮記録を実行させる。
また上記データ属性検出手段は、さらに、上記第１の記録媒体に記録されているデータが上記第２の記録媒体から複製されたデータであるか否かを検出し、上記データ移動制御手段は、上記検出手段により、上記第１の記録媒体に記録されているデータが上記第２の記録媒体から複製されたデータであると検出された場合は、上記第１の記録媒体に記録されているデータの読出及び当該読み出されたデータについて第２の記録媒体への記録のための仮記録の実行を禁止する。
また、上記記録制御手段は、上記第２の記録媒体に記録した上記データについて、所定回数だけ他の記録媒体に複製する権利を備えるように管理させるとともに、上記第２の記録媒体に記録された上記データについては、上記複製する権利が上記所定回数残されているときのみ、上記第２の記録媒体から上記第１の記録媒体もしくは他の記録媒体へのデータ移動を許可する再移動制御手段を、さらに備える。
【００１３】
また、上記記録制御手段は、上記第２の記録媒体に記録した上記データについて、所定回数だけ他の記録媒体に複製する権利を備えるように管理させるとともに、上記第２の記録媒体に記録される上記データを第３の記録媒体に複製する際には上記複製する権利の数を一減算するように管理し、さらに、上記第３の記録媒体に複製したデータを上記第２の記録媒体へ移動させた際には、上記第２の記録媒体に移動されたデータについて他の記録媒体に複製する権利を有さないように管理させる。
また、上記記録制御手段は、上記第２の記録媒体に記録した上記データについて、所定回数だけ他の記録媒体に複製する権利を備えるように管理させるとともに、上記第２の記録媒体に記録される上記データを第３の記録媒体に複製する際には上記複製する権利の数を一減算するように管理し、さらに、上記第３の記録媒体に複製したデータを第４の記録媒体へ移動させた際には、上記第４の記録媒体に移動されたデータについて他の記録媒体に複製する権利を有さないように管理させる。
【００１４】
本発明の記録方法は、第１の記録媒体の種類を識別し、上記第１の記録媒体に記録されているデータが消去可能か否かを検出し、上記識別の結果、及び上記検出の結果に応じて、上記第１の記録媒体に記録されているデータの読出、及び当該読み出されたデータについて第２の記録媒体への記録のための仮記録を実行させ、上記第１の記録媒体から上記データが消去された状態に制御し、上記データが上記第１の記録媒体から消去されたとき、上記仮記録された上記データを第２の記録媒体に記録された状態となるように制御する。
【００１５】
本発明のプログラムは、上記記録方法を記録装置に実行させるプログラムである。
また本発明のプログラム記録媒体は、上記プログラムをを記録したプログラム記録媒体である。
【００１６】
以上の本発明によれば、第２の記録媒体（例えばＨＤＤ）には、第１の記録媒体（例えばＭＤ）に記録されているデータは、記録媒体の種別やデータ属性等によって移動（ムーブ）可能とされる。このときの移動許可の条件は第１の記録媒体においてデータ消去が可能であること（コピーではなくムーブ動作とできること）、第１の記録媒体がＳＣＭＳ等の第２世代へのコピーが禁止される規格を採用したメディアであること、さらにはデータがチェックアウトされたデータではないことなどとなる。
このような条件によって第１の記録媒体から第２の記録媒体にデータのムーブが可能とされることで、ユーザーはＳＣＭＳコンテンツのように第２世代のデジタルコピーが禁止されるものであっても、ホームサーバ（音楽ライブラリ）に登録してチェックアウト／チェックイン管理できるようになる。
【００１７】
【発明の実施の形態】
以下、本発明の実施の形態を次の順序で説明する。なお、本発明の記録装置の実施の形態として、ＨＤＤを記録媒体として備えた記録再生装置を挙げる。
１．システム構成
２．記録再生装置の構成
３．ミニディスクのＵ−ＴＯＣ
４．ムーブ／チェックアウト／チェックイン
５．ＨＤＤへのムーブ要求時の処理
６．ＨＤＤからのムーブ要求時の処理
７．チェックアウトデータのムーブ処理の別例
【００１８】
１．システム構成
図１にシステム構成例を示す。
本実施の形態の記録再生装置１は、ＨＤＤ３１を記録媒体として備え、例えば音楽コンテンツをＨＤＤ３１に格納し、ＨＤＤ３１を音楽データをホームサーバ（ライブラリ）的に使用できる機器としている。
なお実施の形態の説明ではＨＤＤ３１を本発明請求項でいう第２の記録媒体に相当するものとするが、もちろん記録再生装置１において第２の記録媒体とされる記録メディアはＨＤＤに限られず、例えば光ディスク、光磁気ディスク等のメディア、機器内蔵の半導体メモリ、可搬型の半導体メモリ（メモリカード等）など、各種のものが考えられる。
【００１９】
記録再生装置１は、通信ネットワーク１１０を介してコンテンツサーバ９１と通信可能とされ、これによって音楽等のコンテンツデータのダウンロードが可能とされる。もちろんコンテンツサーバ９１は複数存在し、記録再生装置１のユーザーは多様なデータダウンロードサービスを任意に利用できるものである。
コンテンツサーバ９１から記録再生装置１にダウンロードされるコンテンツデータとしては、例えばＳＤＭＩ準拠のコンテンツデータである。
【００２０】
ネットワーク１１０を形成する伝送路は、有線又は無線の公衆回線網とされてもよいし、記録再生装置１とコンテンツサーバ９１の専用回線としてもよい。具体的にはネットワーク１１０としては、例えばインターネット、衛星通信網、光ファイバー網、その他各種の通信回線が適用できる。
【００２１】
また、記録再生装置１には、内蔵或いは外付けのディスクドライブを備え、ＣＤ、ＭＤ、ＤＶＤ、メモリカードなどのメディア９０から再生された音楽等のコンテンツデータをＨＤＤ３１に蓄積させることもできる。
【００２２】
記録再生装置１は、別体機器としての記録再生装置２０が接続された場合、この記録再生装置２０に対して、ＨＤＤ３１に蓄積したコンテンツデータを転送可能とされている。
接続される記録再生装置２０の具体例としては各種考えられるが、例えば携帯型記録再生装置などとされる。
記録再生装置２０は、例えばＭＤ、メモリカード等の記録媒体に対する記録及び再生が可能な装置とされる。そして記録再生装置１から転送されてきたコンテンツデータを記録媒体にコピー記録できるものとされる。
このようにＨＤＤ３１に記録されたコンテンツデータを、記録再生装置２０においてＭＤ、メモリカード等の記録媒体にコピーする動作は、チェックアウトとしての動作となる。
ＨＤＤ３１に格納した音楽コンテンツを記録再生装置２０においてＭＤやメモリカード等にコピー（チェックアウト）することで、ユーザーは記録再生装置１をホームサーバとして使用し、例えば携帯型記録再生機である記録再生装置２０を用いて、音楽コンテンツを再生させることができる。
【００２３】
二次記録媒体側機器としての記録再生装置２０が記録再生するメディアは、ミニディスク、フラッシュメモリ等の半導体メモリを利用したメモリカード以外にも、ＣＤ−Ｒ（ＣＤ　Ｒｅｃｏｒｄａｂｌｅ）、ＣＤ−ＲＷ（ＣＤ　Ｒｅｗｉｔａｂｌｅ）、ＤＶＤ−ＲＡＭ、ＤＶＤ−Ｒ、ＤＶＤ−ＲＷなどが考えられる。従って、記録再生装置２０としては、これらのメディアに対応する記録再生装置であればよい。
【００２４】
記録再生装置１と記録再生装置２０とは、例えばＵＳＢ（Ｕｎｉｖｅｒｓａｌ　Ｓｅｒｉａｌ　Ｂｕｓ）、ＩＥＥＥ１３９４などの伝送規格に基づく接続が行われる。もちろん他の伝送規格の有線伝送路、或いは無線伝送路によりコンテンツデータ等の転送が可能とされるものでもよい。
【００２５】
また、記録再生装置１自体にＣＤ、ＭＤ、ＤＶＤ、メモリカードなどに対する記録ドライブ装置部を備える場合、ＨＤＤ３１に蓄積したコンテンツデータをこれらのメディアに転送しコピーすることが可能とされる。
このようにＨＤＤ３１に記録されたコンテンツデータを、記録再生装置１においてＭＤ、メモリカード等の記録媒体にコピーする動作も、チェックアウトとしての動作となる。
もちろん、このようにＭＤやメモリカード等にコピー（チェックアウト）した場合、そのＭＤ等を他の携帯用プレーヤなどで再生させることができる。
【００２６】
２．記録再生装置の構成
本例の記録再生装置１の構成を図２で説明する。
記録再生装置１は、内部に大容量のデータファイル蓄積部として、図示するＨＤＤ（ハードディスクドライブ）３１を備えるとともに、パッケージメディアについてのドライブ機能部として、ＣＤ（Ｃｏｍｐａｃｔ　Ｄｉｓｃ）やＤＶＤ（Ｄｉｇｉｔａｌ　Ｖｅｒｓａｔｉｌｅ　Ｄｉｓｃ）に対応するＣＤ／ＤＶＤドライブ２９、ＭＤ（Ｍｉｎｉ　Ｄｉｓｃ：光磁気ディスク）に対応するＭＤドライブ３６、メモリカードに対するメモリカードスロット４１を備えている。
【００２７】
そして、この記録再生装置１では、例えばＣＤ、ＤＶＤ、ＭＤ、或いはメモリカードから再生された音楽コンテンツを、ＨＤＤ３１に取り込むことができるものとされている。
なお、本例では音楽コンテンツを例に挙げるが、映像コンテンツ、テキストデータ、アプリケーションプログラム、ゲームソフトウエアなど、多様なコンテンツに対応可能とすることもできる。
また、備えられるドライブ装置としては、図示するＣＤ／ＤＶＤドライブ２９、ＭＤドライブ３６、メモリカードスロット４１の他に、磁気ディスク等の各種のメディアに対応するドライブ装置が構成されてもよい。
【００２８】
また記録再生装置１では、ＨＤＤ３１に格納したファイル（例えば音楽等を１コンテンツ単位で１つのファイルとして格納している）については、ユーザーが任意に再生させることなどが可能となる。従って、例えば多数のＣＤを有するユーザーが、全ＣＤの全楽曲をそれぞれ１つのファイルとして記録再生装置１内に格納しておけば、わざわざＣＤ等を選び出して装填しなくても、所望の楽曲等の再生を実行させることができる。
【００２９】
この記録再生装置１は、ユーザーの家庭でのオーディオ機器としての使用に適するように、いわゆるラジカセ型の機器とされることが考えられる。もちろんコンポーネントタイプでもよい。
そして記録再生装置１には、ユーザーが各種操作を行うための各種の操作キーや操作つまみ、ジョグダイヤルと呼ばれる回動プッシュ式のキーなどが、機器前面パネルなどに設けられている。
またユーザーに対する出力部位として、再生音声等を出力するスピーカや、各種情報を表示出力する表示部が設けられる。
また、ユーザーが所有するＣＤ／ＤＶＤを挿入するためのＣＤ挿入部、及びＭＤを挿入するためのＭＤ挿入部、メモリカードを挿入するメモリカード挿入部も設けられる。
【００３０】
図２において、ＣＰＵ２１は、起動されたプログラムに基づいて記録再生装置１の全体の制御、演算処理を行う。例えばユーザーに対する入出力動作、ＣＤ／ＤＶＤの再生やリッピング、コンテンツサーバ９１との通信動作、コンテンツダウンロード、ＨＤＤ３１へのファイルの格納や管理情報の作成・更新等の制御処理を行う。
なお、このＣＰＵ２１は、図示するバス２２を介して各回路部との間で制御信号やデータのやりとりを行う。
【００３１】
メモリ部２３はＣＰＵ２１が処理に用いるＲＡＭ、ＲＯＭ、フラッシュメモリなどを包括的に示している。
メモリ部２３におけるＲＯＭには、ＣＰＵ２１の動作プログラム、プログラムローダー等が記憶される。
メモリ部２３におけるフラッシュメモリには、各種演算係数、プログラムで用いるパラメータ等が記憶される。
特に本実施の形態の場合、このＲＯＭ内には、上記ＣＰＵ２１が後述するムーブ／チェックアウト／チェックインについての処理動作を行うためのプログラムも格納されている。
また、メモリ部２３におけるＲＡＭには、プログラムを実行する上でのデータ領域、タスク領域が一時的に確保される。
【００３２】
入力部２５は、記録再生装置１の筐体に設けられた操作キーやジョグダイヤル、タッチパネル、リモートコマンダー、その他の入力デバイスであって、記録再生装置１のユーザーが各種操作入力やデータ入力を行う。キーボードやマウスが入力部２５として設けられてもよい。
入力部２５で入力された情報は入力処理部２４で所定の処理が施され、ＣＰＵ２１に対して操作又はデータの入力として伝達される。ＣＰＵ２１は入力された情報に対応して必要な演算や制御を行う。
【００３３】
表示部２７は、例えば液晶パネルなどの表示デバイスとされ、ユーザーに対して各種情報表示を行う。
ＣＰＵ２１が各種動作状態や入力状態、通信状態に応じて表示情報を表示処理部２６に供給すると、表示処理部２６は供給された表示データに基づいて表示部２７に表示動作を実行させる。
例えばＣＤ、ＤＶＤ、ＭＤ、メモリカードの再生時、或いはＨＤＤ３１に格納されたコンテンツの再生時には、トラックナンバー、演奏時間、動作状態、音量状態などが表示される。また再生するコンテンツに対応してタイトル情報が格納されていれば曲名、アーティスト名等の各種情報を表示することもできる。
【００３４】
ＣＤ／ＤＶＤドライブ２９は、光学ヘッド、スピンドルモータ、再生信号処理部、サーボ回路等を備え、装填されたＣＤ或いはＤＶＤに対する再生動作を行う。ＣＤ／ＤＶＤドライブ制御部２８は、ＣＤ／ＤＶＤドライブ２９におけるＣＤ又はＤＶＤに対する再生動作、アクセス動作等を制御する。例えばユーザーが入力部２５からＣＤ再生操作を行った場合は、ＣＰＵ２１はＣＤ／ＤＶＤドライブ制御部２８にＣＤ再生を指示する。するとＣＤドライブ制御部２８は、ＣＤ／ＤＶＤドライブ２９に対して再生／アクセスを実行させる制御を行う。
ＣＤ／ＤＶＤドライブ２９では、ＣＤやＤＶＤから読み出した信号に対してデコードを行い、再生データをＣＤ／ＤＶＤドライブ制御部２８を介してバス２２に送出する。
ＣＤ／ＤＶＤドライブ２９では、ＣＤやＤＶＤに対して高速読出動作を実行させることも可能とされる。通常再生を１倍速とすると、２倍速、４倍速、８倍速などの高速読出が可能である。例えばＨＤＤ３１へのリッピングの際などに高速読出が実行される。
【００３５】
なお、公知のようにＣＤではその最内周側にＴＯＣ（Ｔａｂｌｅ　Ｏｆ　Ｃｏｎｔｅｎｔｓ）と呼ばれる管理情報が記録されており、ＣＤ再生時にはＴＯＣに基づいてディスク上のトラック（コンテンツ）のアクセスを行う。ＤＶＤも同様に管理情報に基づいてアクセスが行われる。従ってＣＤ／ＤＶＤドライブ制御部２８は、ＣＤ／ＤＶＤが装填された際にはＣＤ／ＤＶＤドライブ２９に管理情報読出を指示し、読み出された管理情報を得ることで、再生制御が可能となる。
【００３６】
ＭＤドライブ３６は、光学ヘッド、スピンドルモータ、再生信号処理部、サーボ回路等を備え、装填されたＭＤに対する再生動作を行う。ＭＤドライブ制御部３７は、ＭＤドライブ３６におけるＭＤに対する再生動作、アクセス動作等を制御する。この場合もＣＰＵ２１は、例えばユーザーにより入力部２５を介したＭＤ再生操作が行われたときは、ＭＤドライブ制御部３７にＭＤ再生を指示する。そして、これに応じＭＤドライブ制御部３７は、ＭＤドライブ３６に対して再生／アクセスを実行させる制御を行う。
ＭＤドライブ３６では、ＭＤから読み出した信号に対してデコードを行い、再生データをＭＤドライブ制御部３７を介してバス２２に送出する。
なお、この場合も上記したＣＤ／ＤＶＤドライブ制御部２８と同様、ＭＤドライブ制御部３７は、ＭＤが装填された際にはＭＤドライブ３６にＴＯＣ読出を指示し、読み出された管理情報（ＴＯＣデータ）を得ることでＭＤの再生制御が可能となる。
【００３７】
メモリカードスロット４１は、メモリカードに対する接続端子部が設けられる、メモリカードに対して書込／読出アクセスが可能とされる。
メモリカード制御部４２は、ＣＰＵ２１の指示に基づいてメモリカードに対するアクセス動作を実行し、データの書込、読出、エンコード／デコードを行う。
メモリカード制御部４２は、メモリカードから読み出してデコードした、再生データをバス２２に送出する。
【００３８】
ＡＴＲＡＣエンコード／デコード部３８は、ＣＰＵ２１の制御に基づき、バス２２を介して入力されてくるデータについて、ＡＴＲＡＣ（Ａｄａｐｔｉｖｅ　ＴＲａｎｓｆｏｒｍＡｃｏｕｓｔｉｃ　Ｃｏｄｉｎｇ）圧縮方式（例えばＡＴＲＡＣ１、ＡＴＲＡＣ３等）によるエンコード／デコード処理を行う。そして、このようにしてエンコード／デコード処理を施したデータを、ＣＰＵ２１の制御に基づいた所要の部位に対して出力するようにされる。
【００３９】
通信処理部３２は、ＣＰＵ２１の制御に基づいて送信データのエンコード処理、受信データのデコード処理を行う。
ネットワークインターフェイス３３は、通信処理部３２でエンコードされた送信データをネットワークを介して所定の外部機器に送信する。またネットワークを介して上記サーバ等の外部機器から送信されてきた信号を通信処理部３４に受け渡す。通信処理部３４は受信した情報をＣＰＵ２１に転送したり、受信したダウンロードコンテンツをバス２２に送出する。
【００４０】
オーディオデータ処理部３４は、例えば音声処理ＤＳＰにより構成され、バス２２を介して入力されたデジタルオーディオデータに対して各種加工処理を行う。例えば音質調整加工としてイコライジング処理、リバーブ処理、エコー処理、ノイズ付加処理等が可能とされる。さらに音量を調整する処理も可能である。
これらの音質／音量調整は、ユーザーの入力部２５の操作に基づいて設定されたパラメータに従って行われる。パラメータとは、例えばイコライジング処理における帯域毎のレベル、リバーブ処理における残響時間や残響レベル（或いはリバーブ種類）、エコー処理における反響音リピート回数やレベル（或いはエコー種類）、ノイズ処理におけるノイズ音声種類やレベルなどである。
【００４１】
オーディオ出力処理部３９は、バス２２を介して入力されたデジタルオーディオデータに対してＤ／Ａ変換、増幅等の処理を施し、スピーカ部３５から出力させる。
【００４２】
データベース管理部３０は、ＣＰＵ２１の制御に基づき、ＨＤＤ３１に対してコンテンツファイルや、コンテンツファイルを管理するための管理情報の書込・読出アクセス動作を実行する。
例えばＣＤ／ＤＶＤドライブ２９で再生された１トラック単位のコンテンツを、１つのファイル（１つの音楽コンテンツ）としてＨＤＤ３１に蓄積するとともに、管理情報を書込／更新する。また通信処理部３２から転送されたダウンロードコンテンツをＨＤＤ３１に蓄積するとともに、管理情報を書込／更新する。
このデータベース管理部３０は、ＣＰＵ２１の指示に応じて、所定のトラックファイルを読み出してオーディオ出力処理部３４に転送し、スピーカ部３５から音声出力させることもできる。
またデータベース管理部３０は、ＨＤＤ３１に格納された音楽コンテンツのチェックイン／チェックアウト管理を行う。
なお、もちろんＨＤＤ３１は、このようにトラックファイルのデータベースとして用いられるだけでなく、ＣＰＵ２１で起動されるアプリケーションプログラムや各種データ等の格納領域として利用されてもよい。
【００４３】
外部インターフェース４０は、例えばＵＳＢ、ＩＥＥＥ１３９４などの通信方式による周辺機器とのインターフェイスとされる。
例えば図１に示した記録再生装置２０とは、この外部インターフェース４０により接続され、データ転送が可能とされる。
なお、他の規格の有線インターフェースや、赤外線や電波を用いた無線インターフェースであってもよい。
【００４４】
このような記録再生装置１によっては、例えば次のような記録、再生、通信動作が実行可能とされる。
【００４５】
・ＣＤ、ＤＶＤから再生されたデジタルデータを、ＨＤＤ３１にコピー記録（リッピング）できる。
・ネットワーク１１０を介してコンテンツサーバ９１からダウンロードしたデジタルデータを、ＨＤＤ３１に記録することができる。
・後述するムーブ処理により、ＭＤ、ＣＤ−Ｒ、ＣＤ−ＲＷ等のメディアからＳＣＭＳデータを、ＨＤＤ３１にムーブすることができる。また条件に応じてＨＤＤ３１にムーブされたデータを、ＭＤ、ＣＤ−Ｒ、ＣＤ−ＲＷ等に再ムーブできる。
・ＣＤ、ＤＶＤ、ＭＤ、メモリカードとしてのメディア、或いはＨＤＤ３１から再生されたデジタルオーディオデータ（音楽コンテンツ）は、オーディオ出力処理部３９から再生出力することができる。
【００４６】
・ＨＤＤ３１に格納されたデジタルオーディオデータ（音楽コンテンツ）を、外部インターフェース４０により接続された外部機器（例えば記録再生装置２０）に送信出力できる。即ち外部機器に装填されているＭＤやメモリカード等のメディアに対してのチェックアウトである。またチェックイン処理も行われる。
・ＨＤＤ３１に格納されたデジタルオーディオデータ（音楽コンテンツ）を、ＭＤドライブ３６に転送し、ＭＤにコピー記録できる。これもＭＤに対するチェックアウトである。またＭＤからのチェックイン処理も行われる。
・ＨＤＤ３１に格納されたデジタルオーディオデータ（音楽コンテンツ）を、メモリカード制御部４２に転送し、メモリカードにコピー記録できる。これもメモリカードに対するチェックアウトである。またメモリカードからのチェックイン処理も行われる。
【００４７】
なお、記録再生装置１の構成は、この図１の構成に限られるものではなく、更に多様に考えられる。
例えばマイクロホンや外部のヘッドホンの接続に用いられる端子や、ＤＶＤ再生時に対応するビデオ出力端子、ライン接続端子、光デジタル接続端子等が設けられてもよい。
またＰＣＭＣＩＡスロットなどが形成され、外部の情報処理装置やオーディオ機器とデータのやりとりが可能とされてもよい。
【００４８】
３．ミニディスクのＵ−ＴＯＣ
本例の動作においては、例えばミニディスク（ＭＤ）に対してＳＣＭＳコピーや、チェックアウトによるコピーが行われる場合がある。そして後述するが、ＭＤに記録された各トラックについては、ＳＣＭＳコピーによるＳＣＭＳコンテンツの場合と、チェックアウトによるコピーが行われたチェックアウトコンテンツの場合とで、扱いが異なるものとなる。このためには、ＭＤに記録された楽曲等のトラックについてはＳＣＭＳコンテンツであるのか、チェックアウトコンテンツによるものかが判別できなければならない。
この判別のためにミニディスクのＵ−ＴＯＣを用いることが考えられる。
そこで、ここではミニディスクに記録されるＵ−ＴＯＣについて説明しておく。
【００４９】
ミニディスクシステムのようなデジタル記録／再生システムでは、記録媒体にデータの記録動作や再生動作を制御するための管理情報としてＴＯＣ（Ｔａｂｌｅ　ｏｆＣｏｎｔｅｎｔｓ）が記録されており、記録再生装置側では予めディスク等の記録媒体からこのＴＯＣ情報を読み出してメモリに保持しておき、記録再生動作の際に、このＴＯＣ情報を参照して記録位置や読出位置を把握して記録再生のためのアクセス動作を実行できるようにしている。
そしてミニディスクの場合、ＴＯＣ情報としては書き換え不能な情報としてピットにより記録されるＰ−ＴＯＣ（プリマスタードＴＯＣ）と、楽曲等の記録、消去などに応じて書き換えられるように光磁気記録されているＵ−ＴＯＣ（ユーザーＴＯＣ）が存在する。
Ｕ−ＴＯＣには、ディスク上に記録されるオーディオデータ等のコンテンツデータがトラックと呼ばれる単位で管理される。つまり１つのトラックは、例えば１つの楽曲に相当するものとなる。
【００５０】
図１１にＵ−ＴＯＣセクター０の構造を示す。このＵ−ＴＯＣセクター０は、ディスク内周側の管理領域内における所定位置にＵ−ＴＯＣの先頭のセクターとして記録される管理情報である。そしてこのＵ−ＴＯＣセクター０は、ディスクに記録された楽曲等のコンテンツデータ（トラック）や新たにコンテンツデータが録音可能なフリーエリアについての管理情報が記録されているデータ領域とされる。
【００５１】
Ｕ−ＴＯＣセクター０のデータ領域（４バイト×５８８　の２３５２バイト）の先頭位置には、オール０又はオール１の１バイトデータが並んで形成される同期パターンが記録される。続いてクラスタアドレス（Ｃｌｕｓｔｅｒ　Ｈ）　（Ｃｌｕｓｔｅｒ　Ｌ）　及びセクターアドレス（Ｓｅｃｔｏｒ）となるアドレスが３バイトにわたって記録され、さらにモード情報（ＭＯＤＥ）が１バイト付加され、以上でヘッダとされる。
続いて所定バイト位置に、メーカーコード、モデルコード、最初のトラックのトラックナンバ（Ｆｉｒｓｔ　ＴＮＯ）、最後のトラックのトラックナンバ（Ｌａｓｔ　ＴＮＯ）、セクター使用状況（Ｕｓｅｄ　ｓｅｃｔｏｒｓ）、ディスクシリアルナンバ、ディスクＩＤ等のデータが記録される。
【００５２】
さらに、ユーザーが録音を行なって記録されているトラック（楽曲等）の領域やフリーエリア等を後述するテーブル部に対応させることによって識別するため、ポインタ部として各種のポインタ（Ｐ−ＤＦＡ，Ｐ−ＥＭＰＴＹ　，Ｐ−ＦＲＡ　，Ｐ−ＴＮＯ１〜Ｐ−ＴＮＯ２５５）　が記録される領域が用意されている。
【００５３】
そしてポインタ（Ｐ−ＤＦＡ〜Ｐ−ＴＮＯ２５５）　に対応させることになるテーブル部として（０１ｈ）　〜（ＦＦｈ）　までの２５５個のパーツテーブルが設けられ、それぞれのパーツテーブルには、或るパーツについて起点となるスタートアドレス、終端となるエンドアドレス、そのパーツのモード情報（トラックモード）が記録されている。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
なおパーツとは１つのトラック内で時間的に連続したデータが物理的に連続して記録されているトラック部分のことをいう。
【００５４】
テーブル部における（０１ｈ）　〜（ＦＦｈ）　までの各パーツテーブルは、ポインタ部におけるポインタ（Ｐ−ＤＦＡ，Ｐ−ＥＭＰＴＹ　，Ｐ−ＦＲＡ　，Ｐ−ＴＮＯ１〜Ｐ−ＴＮＯ２５５）　によって、以下のようにそのパーツの内容が示される。
【００５５】
ポインタＰ−ＤＦＡ　は光磁気ディスク９０上の欠陥領域について示しており、傷などによる欠陥領域となるトラック部分（＝パーツ）のスタートアドレス、エンドアドレスが示されたパーツテーブルを指定している。
また、他にも欠陥パーツが存在する場合は、そのパーツテーブルにおけるリンク情報として他のパーツテーブルが指定され、そのパーツテーブルにも欠陥パーツが示されている。
【００５６】
ポインタＰ−ＥＭＰＴＹ　はテーブル部における１又は複数の未使用のパーツテーブルの先頭のパーツテーブルを示すものであり、未使用のパーツテーブルが存在する場合は、ポインタＰ−ＥＭＰＴＹ　として、（０１ｈ）　〜（ＦＦｈ）　のうちのいづれかが記録される。未使用のパーツテーブルが複数存在する場合は、ポインタＰ−ＥＭＰＴＹ　によって指定されたパーツテーブルからリンク情報によって順次パーツテーブルが指定されていき、全ての未使用のパーツテーブルがテーブル部上で連結される。
【００５７】
ポインタＰ−ＦＲＡ　はディスク上のデータの書込可能なフリーエリア（消去領域を含む）について示しており、フリーエリアとなるトラック部分（＝パーツ）のスタートアドレス、エンドアドレスが示されたパーツテーブルを指定している。
また、他にもフリーエリアパーツが存在する場合は、そのパーツテーブルにおけるリンク情報として他のパーツテーブルが指定され、そのパーツテーブルによってフリーエリアパーツのアドレスが示される。
【００５８】
ポインタＰ−ＴＮＯ１〜Ｐ−ＴＮＯ２５５は、ディスクにユーザーが記録を行なった楽曲などのトラックについて示しており、例えばポインタＰ−ＴＮＯ１では第１トラックのデータが記録された１又は複数のパーツのうちの時間的に先頭となるパーツが示されたパーツテーブルを指定している。
１つのトラックが複数パーツで構成される場合は、２番目以降のパーツのアドレスを示すパーツテーブルがリンク情報で順に指定される。
【００５９】
ここで、各パーツテーブルには１バイトのトラックモードが記録されるが、これはトラックの属性情報となる。
１バイトを構成する８ビットを、ｄ１（ＭＳＢ）〜ｄ８（ＬＳＢ）とすると、このトラックモードは次のように定義されている。
2004054988.tif 000003
【００６０】
ＳＣＭＳコピーされたトラックについては、ビットｄ３が「１」とされて、オリジナルではなくデジタルコピーされたものであることが示される。
また、上記ビットｄ１は、現実には使用されていない。そこで、ビットｄ１を利用して、チェックアウトされたデータであるか否かを示すようにしている。
通常のトラックではビットｄ１＝「１」とされているが、チェックアウトされたコンテンツとしてのトラックである場合、ビットｄ１＝「０」とされる。
【００６１】
４．ムーブ／チェックアウト／チェックイン
本例の記録再生装置１を中心に、各記録媒体間で行われるムーブ、チェックアウト、チェックインについて説明する。ムーブ等が行われるデジタルデータは音楽コンテンツの例とする。
【００６２】
なお、ムーブとは、或る記録媒体から他の記録媒体にデジタルデータ（音楽コンテンツ等）が移動される動作を言い、ムーブの結果、元の記録媒体では、データが消去された状態となるものである。この点で、データが複製されてデータの数が増えるコピーとは異なる。従って基本的には、ムーブによっては著作権侵害のおそれのあるデータの氾濫（多量のデータの複製）は生じない。
チェックアウトについては、ＨＤＤ３１が音楽ライブラリとして用いられる際に、ＨＤＤ３１から他の記録媒体にコピーできる上限回数が規定され、その回数管理が行われた上でデータのコピーが行われる動作となる。例えば上限回数（チェックアウト権）は３回に設定されるとする。もちろん３回とするのは一例である。
チェックインは、他の記録媒体にチェックアウトされたデータがＨＤＤ３１に戻されることを言い、動作的にはムーブと同じように、他の記録媒体側では当該データは消去された状態となる。ただし実際にはＨＤＤ３１には当該データ（過去にチェックアウトしたデータ）は保存されているので、データ自体の転送は行われない。ＨＤＤ３１側では１回のチェックインにより、チェックアウト権を１つ回復させる処理が行われるものとなる。
【００６３】
図３に本例でのムーブ、チェックアウト、チェックインを模式的に示してい。図３においてメディア１００は例えばデジタルデータとして音楽コンテンツを収録したＣＤ、ＤＶＤ等のメディアを示す。以下「ＣＤ等１００」と表記する。
メディア１０１は、ＳＣＭＳ採用の書込可能なメディアであるＭＤを示している。以下、「ＭＤ１０１」と表記する。
メディア１０２は、ＣＤ−Ｒ、ＣＤ−ＲＷ等の、データ書込可能なメディアであり、これもＳＣＭＳ採用のメディアである。以下、「ＣＤ−ＲＷ等１０２」と表記する。
メディア１０３は、フラッシュメモリ等を内蔵したメモリカードとして、データ書込可能とされるメディアである。以下、「メモリカード１０３」と表記する。
【００６４】
図３に「▲７▼リッピング」として示すように、ＣＤ等１００がＣＤ／ＤＶＤドライブ２９に装填されることで、ＣＤ等１００に記録されている音楽データをＨＤＤ３１にコピー記録（リッピング）することが可能である。
また「▲８▼ダウンロード」として示すように、外部のコンテンツサーバ９１からダウンロードした音楽コンテンツがＨＤＤ３１に格納できる。
ＨＤＤ３１では、例えばこのようにして音楽コンテンツを取り込んでいくことで、音楽ライブラリとして機能できるようになる。
【００６５】
これらのＨＤＤ３１に取り込まれ、ライブラリに登録された音楽コンテンツについては、それぞれ３回のチェックアウト権が付与され、チェックアウト／チェックイン管理が行われる。
即ち「▲４▼チェックアウト可」と示すように、ライブラリに登録された音楽コンテンツはＭＤ１０１やメモリカード１０３にチェックアウトできる。この場合、ＭＤ１０１は、ＭＤドライブ３６により、又は外部インターフェース４０に接続される記録再生装置２０としてのＭＤレコーダによってチェックアウトデータの書込が行われる。
またメモリカード１０３は、メモリカードスロット４１に装着された状態でメモリカード制御部４２により、又は外部インターフェース４０に接続される記録再生装置２０としてのメモリカードレコーダによってチェックアウトデータの書込が行われる、
【００６６】
また「▲５▼チェックイン可」として示すように、ＭＤ１０１やメモリカード１０３にチェックアウトした音楽コンテンツは、ＨＤＤ３１に返却できる。この場合、ＭＤ１０１に対しては、ＭＤドライブ３６又は又は外部インターフェース４０に接続される記録再生装置２０としてのＭＤレコーダによって、チェックインデータの消去が行われる。
またメモリカード１０３に対しては、メモリカードスロット４１に装着された状態でメモリカード制御部４２により、又は外部インターフェース４０に接続される記録再生装置２０としてのメモリカードレコーダによってチェックインデータの消去が行われる。
【００６７】
ここで「▲１▼ＳＣＭＳコピー可」として、ＣＤ等１００からＣＤ−ＲＷ等１０２、又はＭＤ１０１へのデータコピーを示している。
これはＳＣＭＳ規則に則って、第２世代以降でのデジタルコピーを禁止するコピーであって、オリジナルからは１世代までとして許可されるコピーである。
従って、ＣＤ−ＲＷ等１０２、又はＭＤ１０１からは、「▲７▼リッピング」に相当するＨＤＤ３１へのコピーはできない。
【００６８】
ここで本例では「▲２▼ムーブ可」として示すように、ＣＤ−ＲＷ等１０２、又はＭＤ１０１からは、ＨＤＤ３１へのムーブが許可される。これについては詳しく後述するが、このムーブによって、ＣＤ−ＲＷ等１０２、又はＭＤ１０１に記録されているＳＣＭＳコンテンツは、ＨＤＤ３１においてライブラリ登録でき、ユーザーはチェックアウト／チェックイン管理の元で利用できるようになる。
【００６９】
「▲３▼全チェックアウト権有りでムーブ可」とは、ＭＤ１０１からＨＤＤ３１にムーブした音楽コンテンツについて、ＨＤＤ３１からＭＤ１０１に再ムーブすることを示している。この場合ＭＤ１０１は、最初にＭＤ１０１からＨＤＤ３１にムーブしたときのＭＤであってもよいし、他のＭＤであってもよい。この▲３▼は、ＭＤ１０１に対して▲４▼のチェックアウトではなく、ムーブすることを示しているものである。そしてこのムーブは、当該音楽コンテンツについて、チェックアウト権が最大値である「３」とされている状態で許可される。
【００７０】
「▲６▼ムーブ不可」は、ＭＤ１０１やメモリカード１０３にチェックアウトした音楽コンテンツについては、ＨＤＤ３１にムーブできないことを示している。例えばチェックアウトデータを記録したＭＤ１０１は、そのチェックアウトデータについては、▲２▼のようなムーブが実行できない。
【００７１】
上記▲１▼のＳＣＭＳコピー、▲２▼のムーブについて、図４で説明する。
図４（ａ）に示すように、ＣＤ等１００には、音楽コンテンツＭ１が収録されているとする。この音楽コンテンツＭ１についてはＭＤ１０１に対してデジタルコピー可能である。図示するようにＭＤ１０１にはＳＣＭＳコンテンツとして音楽コンテンツＭ１が記録された状態になる。つまり音楽コンテンツＭ１は複製される。ＭＤ１０１において、当該コピーされた音楽コンテンツＭ１は、Ｕ−ＴＯＣのトラックモードの情報として、上述したビットｄ３が「１」とされて、デジタルコピーされたＳＣＭＳコンテンツであることが示される。
【００７２】
ＳＣＭＳ規則により、ＭＤ１０１に記録された音楽コンテンツＭ１について、さらなる複製はできない。そこで本例では、図４（ｂ）に示すように、ＨＤＤ３１に対してはムーブを可能とする。この場合、ＨＤＤ３１において音楽コンテンツＭ１がライブラリ登録され、３回のチェックアウト権が与えられる。図において「○」がチェックアウト権を表しており、つまり「○」が３個で３回のチェックアウト権が与えられた状態を示している。
ＭＤ１０１においては音楽コンテンツＭ１は消去される。従って、ＳＣＭＳ規則を越えた複製が行われるものではなく、結果的には、ＣＤ等１００に収録された音楽コンテンツＭ１が、図３の▲７▼のリッピングでＨＤＤ３１に記録された場合と同じ状態となる。
【００７３】
次に上記▲４▼のチェックアウト、▲５▼のチェックイン、及び▲６▼のムーブ不可について図５で説明する。
図５（ａ）は、上記図４（ｂ）のようにムーブされてＨＤＤ３１にライブラリ登録された音楽コンテンツＭ１を、或るＭＤ１０１にチェックアウトする様子を示している。
チェックアウトにより、ＭＤ１０１にはチェックアウトコンテンツとして音楽コンテンツＭ１が記録される。このときＭＤ１０１においては、当該チェックアウトによりコピーされた音楽コンテンツＭ１は、Ｕ−ＴＯＣのトラックモードの情報として、上述したビットｄ１が「０」とされて、チェックアウトされたコンテンツであることが示される。
また、ＨＤＤ３１においては、音楽コンテンツＭ１について、チェックアウト権が１つ消費された状態に管理される（「×」で示す）。
このようなチェックアウトは、ＭＤ１０１やメモリカード１０３を対象として、あと２回実行可能とされる。
【００７４】
図５（ｂ）は、図５（ａ）のようにＭＤ１０１にチェックアウトした音楽コンテンツＭ１を、ＨＤＤ３１にチェックインする場合を示している。
チェックインにより、ＭＤ１０１においては音楽コンテンツＭ１は消去された状態とされ、一方、ＨＤＤ３１においては、上記図５（ａ）のチェックアウトで消費されたチェックアウト権が回復される。
このようなチェックアウト／チェックイン管理により、ＨＤＤ３１にライブラリ登録された音楽コンテンツは、最大３つの記録媒体において併存することが許されるものとなる。
【００７５】
図５（ｃ）は、図３の▲６▼として、チェックアウトコンテンツについてはＨＤＤ３１等に対するムーブが許可されないことを示している。
例えば図５（ａ）のチェックアウトによりＭＤ１０１に記録されたチェックアウトコンテンツとしての音楽コンテンツＭ１は、ＨＤＤ３１にムーブしようとしても、その動作は許可されない。つまり、図４（ｂ）のＳＣＭＳコンテンツとしての音楽コンテンツＭ１の場合と区別される。
この理由は、チェックアウトコンテンツについて、図４（ｂ）のＳＣＭＳコンテンツの場合と同様にムーブを実行させライブラリ登録してしまうと、図４（ｄ）に示すように、そのムーブした音楽コンテンツＭ１について３回のチェックアウト権が付与されてしまうことになり、結局、同じ内容の音楽コンテンツＭ１においてチェックアウト権が増加されてしまうためである。これは、本来のチェックアウト／チェックイン管理を越えて、チェックアウト方式でのコピーが可能となり、音楽コンテンツＭ１の大量コピーが可能となってしまうためである。
つまり、チェックアウトコンテンツについては図３の▲６▼としてムーブを禁止することで、著作権保護機能を維持する。
【００７６】
次に図６で、上記▲３▼の再ムーブについて説明する。
上記図４（ｂ）のようにＨＤＤ３１にムーブした音楽コンテンツＭ１は、図６（ａ）に示すようにチェックアウト権が３回残されている状態でのみ、図６（ｂ）に示すようにＭＤ１０１に対するムーブが許可される。図６（ｃ）に示すように、チェックアウト権が１つでも消費されている状態であれば、ムーブは許可されない。
図６（ｂ）のようにムーブが行われた場合、ＨＤＤ３１においては、音楽コンテンツＭ１は消去された状態となる。またＭＤ１０１では、ムーブ記録された音楽コンテンツＭ１は、ＳＣＭＳコンテンツ、つまりオリジナルからデジタルコピーされたコンテンツとして管理されるものとなる。従って、ＳＣＭＳ規則により、このＭＤ１０１からの音楽コンテンツＭ１のデジタルコピーは禁止される。
【００７７】
チェックアウト権が消費されている状態でムーブが許可されないのは、次の理由による。
例えば図６（ｃ）の状態では、音楽コンテンツＭ１が他の記録媒体にチェックアウトされ、当該他の記録媒体において音楽コンテンツＭ１が存在している。ここで、ＨＤＤ３１からＭＤ１０１へのムーブを許可してしまうと、図６（ｂ）に示すＭＤ１０１における音楽コンテンツＭ１とは別に、他の記録媒体にチェックアウトされた音楽コンテンツＭ１が記録されている状態となる。これはＳＣＭＳ規則を越えてデータが複製された場合と同様の状態、つまり結果的に第２世代以降のデジタルコピーが行われた場合と同様となってしまう。このような事態を発生させないために、ＨＤＤ３１からＭＤ１０１へのムーブは、１回もチェックアウトされていない状態であることが許可条件とされるものである。
もちろん、過去にチェックアウトしていても、チェックインによりチェックアウト権が３回まで回復されていれば、図６（ａ）の状態であるため、ムーブ可能である。
【００７８】
５．ＨＤＤへのムーブ要求時の処理
上記図３の▲２▼、▲６▼として、ＭＤ１０１等からＨＤＤ３１への音楽コンテンツのムーブ要求が発生した場合の、記録再生装置１におけるＣＰＵ２１の処理を図７に示す。
この場合、ユーザーは、ムーブ元のメディアに記録された１又は複数の音楽コンテンツを選択し、ＨＤＤ３１にムーブを要求する操作を行う。
なお、この場合、正当なムーブ元としてはＭＤ１０１、ＣＤ−ＲＷ等１０２となるが、例えばＭＤ１０１としては、記録再生装置１におけるＭＤドライブ３６に装填されているＭＤか、或いは接続された外部の記録再生装置２０に装填されているＭＤとなる。またＣＤ−ＲＷ等１０２としては、記録再生装置１におけるＣＤ／ＤＶＤドライブ２９に装填されているＣＤか、或いは接続された外部の記録再生装置２０に装填されているＣＤとなる。
【００７９】
ユーザー操作によってＨＤＤ３１へのムーブ要求（ライブラリ登録要求）が発生した場合、ＣＰＵ２１はステップＦ１０１として、まずムーブ元のメディアの種別を判別する。ここではＣＤであるのかＭＤであるのかを判別するものとなる。即ちＳＣＭＳ規則を採用したメディアとしてのＣＤ又はＭＤについて、当該ムーブを可能とするためである。
そしてＭＤであればステップＦ１０２からＦ１０３に進み、ＭＤメディアチェック処理を行う。ＣＤであればステップＦ１０２からＦ１０４に進み、ＣＤメディアチェック処理を行う。
なお、ムーブ元としてユーザーに指定されたメディアがＣＤでもＭＤでもない場合は、そもそもムーブ要求操作ができないようにしておけばよい。又は図示していないが、メディアがＣＤでもＭＤでもない場合は、ステップＦ１０２からＦ１１１に進むようにしてもよい。
【００８０】
ステップＦ１０３のＭＤメディアチェック処理を図８に示す。
この場合、まずステップＦ２０１において、ムーブ元とされているＭＤがレコーダブルＭＤであるか否かを判断する。公知の通り、ＭＤとしては音楽データがエンボスピットにより記録された再生専用ディスク（光ディスク）が存在する。ステップＦ２０１ではこのような再生専用ディスクではなく、光磁気ディスクで記録再生可能なＭＤであるかを確認するものとなる。つまり、データ消去が可能なメディアであることを確認する。
【００８１】
ステップＦ２０２では、ＭＤの誤消去防止機能がオフとされているか否かを確認する。これも公知の通り、ＭＤではそのカートリッジに誤消去防止のためのスライド爪が形成されており、ユーザーはこれを操作することでデータ消去不能（誤消去防止機能オン）とすることができる。ステップＦ２０２では、このような誤消去防止機能がオフとされ、データ消去が可能な状態であることを確認する。
【００８２】
ステップＦ２０３では、ムーブ対象となっている音楽コンテンツ、即ちこの時点でＭＤに記録されており、ユーザーがムーブするデータとして指定した音楽コンテンツが、ＨＤＤ３１からチェックアウトされたものでないことを確認する。これは上述したＵ−ＴＯＣのトラックモードにおけるビットｄ１＝「１」であること（チェックアウトコンテンツではないこと）を確認する。
【００８３】
このステップＦ２０１，Ｆ２０２，Ｆ２０３で、ムーブ元のＭＤが、ムーブするデータを消去可能であること、及びムーブデータがチェックアウトコンテンツではないことが確認できれば、ステップＦ２０４としてムーブ許可とする。
一方、ムーブ元のＭＤが、ムーブするデータを消去可能ではない場合、或いはムーブしようとするデータがチェックアウトコンテンツであった場合は、ステップＦ２０５としてムーブ不可とする。
【００８４】
図７のステップＦ１０４のＣＤメディアチェック処理は図９に示すようになる。
この場合、まずステップＦ３０１において、ムーブ元とされているＣＤがＣＤ−Ｒ又はＣＤ−ＲＷであるか否かを判断する。つまり音楽データがエンボスピットにより記録された再生専用ディスク（ＣＤ−ＤＡ等）ではなく、データ消去が可能なメディアであることを確認する。
【００８５】
ステップＦ３０２では、ＣＤ−Ｒ、ＣＤ−ＲＷにおいてアンファイナライズ状態かどうかを確認する。公知の通り、ＣＤ−Ｒ、ＣＤ−ＲＷは、データ記録後、最終的にファイナライズされた場合は、データ消去ができないものとなる。つまりステップＦ３０２も、データ消去が可能な状態であることを確認する。
【００８６】
ステップＦ３０３では、ムーブ対象となっている音楽コンテンツ、即ちこの時点でアンファイナライズ状態のＣＤ−Ｒ、ＣＤ−ＲＷに記録されており、ユーザーがムーブするデータとして指定した音楽コンテンツが、ＣＤ−Ｒ、ＣＤ−ＲＷのＰＭＡ（Ｐｒｏｇｒａｍ　Ｍｅｍｏｒｙ　Ａｒｅａ）において削除又はスキップ可能であるか否かを確認する。ＰＭＡは、アンファイナライズ状態において、書き込まれたデータの管理情報を記録した管理情報領域である。つまりファイナライズ処理で最終的なＴＯＣデータ書込が行われるまでの期間における管理情報である。従って、ステップＦ３０３では、現在実際にデータ消去が可能であるか否かを確認するものである。
【００８７】
このステップＦ３０１，Ｆ３０２，Ｆ３０３で、ムーブ元のＣＤが、ＣＤ−Ｒ又はＣＤ−ＲＷであって、ムーブしようとするデータが消去可能であることを確認できれば、ステップＦ３０４としてムーブ許可とする。
一方、ムーブ元のＣＤが、ムーブするデータを消去可能ではない場合は、ステップＦ３０５としてムーブ不可とする。
【００８８】
なお、ステップＦ１０１のメディア判別、ステップＦ１０３（図８）のＭＤメディアチェック処理、ステップＦ１０４（図９）のＣＤメディアチェック処理は、ＣＰＵ２１がＭＤドライブ制御部３７或いはＣＤ／ＤＶＤドライブ制御部２８に情報を要求することで可能となる。或いはムーブ元が外部の記録再生装置２０に装填されたメディアの場合は、ＣＰＵ２１は外部インターフェース４０を介して外部の記録再生装置２０との間で情報の要求／受信を行うことで可能となる。
【００８９】
図７のステップＦ１０５では、ステップＦ１０４又はＦ１０５でムーブ許可とされたか否かにより処理を分岐する。
ステップＦ１０４又はＦ１０５でムーブ不可とされた場合は、ステップＦ１１１に進み、ムーブ不許可処理を行って処理を終える。例えば表示部２７により、ユーザーに対してムーブできない旨の表示を行い、ユーザー操作によるムーブ要求をキャンセルする処理を行う。
【００９０】
一方、ムーブ許可とされた場合はステップＦ１０６に進み、ムーブ元のメディアからのムーブ対象のデータの読出、及びＨＤＤ３１への書込を開始する。そしてステップＦ１０７でムーブ元からＨＤＤ３１へのデータ転送完了を待機する。なお、このデータ転送としてのＨＤＤ３１へのデータ書込は、仮記録動作である。つまり音楽コンテンツとしてのデータ自体はＨＤＤ３１に記録されたが、ＨＤＤ３１の管理情報は更新されておらず、まだライブラリ登録されていない状態（ＨＤＤ３１上で有効ファイルとして管理されていない状態）である。
【００９１】
データ転送が完了したら、ＣＰＵ２１はステップＦ１０８でムーブ元メディアに対して転送データを削除（消去）するように指示する。例えばムーブ元がＣＤ／ＤＶＤドライブ２９に装填されているＣＤ−Ｒ又はＣＤ−ＲＷの場合は、ＣＤ／ＤＶＤドライブ制御部２８に指示し、ディスクのＰＭＡの更新によりデータ削除を実行させる。
またムーブ元がＭＤドライブ３６に装填されているＭＤの場合は、ＭＤドライブ制御部３７にＭＤのＵ−ＴＯＣセクター０の更新により、データ削除を実行させる。
ムーブ元が外部の記録再生装置２０に装填されたメディアであった場合は、ＣＰＵ２１は記録再生装置２０に対してデータ削除のコマンドを発行する。
【００９２】
そしてステップＦ１０９でムーブデータとしてのトラックをムーブ元のＭＤ又はＣＤ−Ｒ／ＣＤ−ＲＷから削除できたか否かを確認する。即ちＣＰＵ２１は、ＣＤ／ＤＶＤドライブ制御部２８、或いはＭＤドライブ制御部３７、或いは記録再生装置２０からの削除完了の信号を確認するものとなる。
トラック削除成功が確認されたら、ステップＦ１１０において、上記仮記録したデータをＨＤＤ３１の管理情報に反映させ、有効なファイルとする。このとき音楽ライブラリを形成する１つの音楽コンテンツとして登録し、３回のチェックアウト権が付与された管理状態とする。
【００９３】
一方、ステップＦ１０９でトラック削除が成功できなかった場合は、ステップＦ１１２でエラー処理として処理を終える。例えば表示部２７により、ユーザーに対して、ムーブ元での消去不能によりムーブできなかったことを表示する。
データ転送により仮記録されたデータは、ＨＤＤ３１の管理情報に反映されないものとなるため、ＨＤＤ３１に存在しないファイルとなり、結局ムーブが実行されなかった状態となる。
【００９４】
以上の図７，図８，図９の処理により、図４で説明した▲２▼のムーブ動作や、図５（ｃ）で説明した▲６▼のチェックアウトコンテンツのムーブ禁止動作が実現される。特に▲２▼のムーブ動作のために、ムーブ元で消去が可能であることが確認され、さらにデータ転送後に実際にムーブ元で消去が完了したことが確認されてからＨＤＤ３１に登録されることで、確実にムーブ動作となり、ムーブ元での消去不能などの事態で結果的にコピーとなってしまうことも防止される。
【００９５】
そして▲２▼のムーブ動作が可能とされることで、ＳＣＭＳコンテンツをＨＤＤ３１における音楽ライブラリに登録して使用できるようになり、ユーザーの利便性が向上する。しかも、著作権保護の機能は守られるものとなる。
【００９６】
なお、上記ステップＦ１０６のデータ転送時にはＨＤＤ３１に仮記録されるとしたが、ＨＤＤ３１以外の記憶部に仮記録され、ステップＦ１１０の段階で初めてＨＤＤ３１に実際にデータ記録が行われたうえでＨＤＤ管理情報更新がおこなわれるようにしてもよい。
【００９７】
６．ＨＤＤからのムーブ要求時の処理
次に上記図３の▲３▼として、ＨＤＤ３１からＭＤ１０１への音楽コンテンツの再ムーブ要求が発生した場合の、記録再生装置１におけるＣＰＵ２１の処理を図１０に示す。
この場合、ユーザーは、ＨＤＤ３１に記録された１又は複数の或る音楽コンテンツを選択し、ＭＤ１０１にムーブを要求する操作を行う。
【００９８】
ＣＰＵ２１はステップＦ４０１において、ムーブ対象として選択された音楽コンテンツについて、チェックアウト権の回数をチェックする。
ここで、チェックアウト権が１つでも消費されている場合は、ステップＦ４０２からＦ４０９に進み、その音楽コンテンツについてはＭＤ１０１へのムーブを許可しない。例えば表示部２７により、ユーザーに対してムーブできない旨の表示を行い、ユーザー操作によるムーブ要求をキャンセルする処理を行ってムーブ要求に対する処理を終える。
【００９９】
一方、ムーブ対象として選択された音楽コンテンツが、チェックアウト権のフル回数、即ち３回残されていた場合は、ムーブ許可できるとしてステップＦ４０３に進み、ムーブ先のＭＤ１０１においてムーブ可能状態かどうかをチェックする。例えばムーブ先のＭＤ１０１として、ＭＤドライブ３６に装填されているＭＤ、或いは接続された記録再生装置２０に装填されているＭＤをチェックする。この場合、ムーブ先のＭＤが再生専用ディスクではないこと、誤消去防止機能がオフであること、及びムーブデータを記録するための容量が残されていることをチェックすることになる。即ち実際にムーブする音楽コンテンツを記録可能であることを確認する。
【０１００】
上記チェックによりＭＤ１０１側でムーブ記録可能であるとされた場合は、ステップＦ４０４からＦ４０５に進んで、ＨＤＤ３１からＭＤ１０１への音楽コンテンツのデータ転送を開始する。
そしてデータ転送が完了したら、ステップＦ４０６からＦ４０７に進み、ムーブ先のＭＤ１０１において書込が完了したことを確認する。この場合、書込の完了とは、転送したデータが、ＭＤのＵ−ＴＯＣ更新により有効なトラックとされたことを確認するものとなる。なお、このＵ−ＴＯＣ更新の際には、当該ムーブによって記録されたトラックは、トラックモードのｄ３＝「１」とされる。つまりＳＣＭＳ規則におけるデジタルコピーされたデータとして扱われるものとなる。
【０１０１】
そして、ステップＦ４０７でムーブ先のＭＤ１０１での書込が完了したことを確認したら、ステップＦ４０８で、ＨＤＤ３１上でムーブした音楽コンテンツの削除を行う。つまりＨＤＤ３１の管理情報を更新し、当該音楽コンテンツを抹消して、ムーブとしての動作が行われた状態とする。
【０１０２】
なお、ステップＦ４０４でムーブ可能ではないと判断された場合、或いはステップＦ４０７でムーブ先での書込完了が確認できなかった場合は、ステップＦ４１０としてエラー処理を行う。例えば表示部２７にエラーメッセージを表示して、ムーブ失敗で処理を終える。
【０１０３】
この図１０の処理により、▲３▼の再ムーブ、つまり図６で説明したＭＤ１０１へのムーブが確実に実現される。
そして▲３▼の再ムーブが可能とされることで、一旦ＨＤＤ３１における音楽ライブラリに登録した音楽コンテンツを、ＭＤ１０１においてＳＣＭＳコンテンツの状態に戻すこともでき、データを柔軟に扱うことができるとともに、この場合も著作権保護機能を低下させる事態を招かない。
【０１０４】
７．チェックアウトデータのムーブ処理の別例
ところで、上記例では▲６▼として示したように、チェックアウトコンテンツをＨＤＤ３１にムーブすることは禁止した。
これは、ＨＤＤ３１にムーブして新たにチェックアウト権が３回与えられることで、実質的にチェックアウト権が３回を越えて発生してしまうことが生ずるためである。
ところがこのことは逆に、チェックアウト権を発生させないとともに、コピー禁止として扱うようにするのであれば、ムーブしても不都合は無いと言える。このため、上記▲６▼のムーブを許可できる処理例も考えられる。
【０１０５】
図１２は▲６▼’として、チェックアウトコンテンツをＨＤＤ３１やメモリカード１０３などにムーブ可能とする例を示している。
図１２（ａ）は、上記図５（ａ）のようにＨＤＤ３１における音楽コンテンツＭ１がＭＤ１０１にチェックアウトされた状態を示している。ＨＤＤ３１における音楽コンテンツのチェックアウト権は１回消費されている。
ここで、図１２（ｂ）の▲６▼’のように、チェックアウトコンテンツであるＭＤ１０１上の音楽コンテンツＭ１をＨＤＤ３１にムーブしたときに、そのムーブした音楽コンテンツＭ１については、チェックアウト権を発生させず、コピー禁止ファイルとして管理するとすると、単にチェックアウトコンテンツの格納場所がＭＤ１０１からＨＤＤ３１に変化するだけである。ＨＤＤ３１からのチェックアウト権は２回残されていることは変化しない。
また、このとき、ＨＤＤ３１にムーブされた音楽コンテンツＭ１を、そのＨＤＤ３１にチェックインできるようにすれば、図５（ｂ）と同様に音楽コンテンツＭ１のチェックアウト権を回復できる。
【０１０６】
つまり、ＭＤ１０１のチェックアウトコンテンツをＨＤＤ３１へムーブしたとしても、それがＨＤＤ３１のライブラリとしてチェックアウト権が付与されるものではなく、単にデータの格納メディアが変化するのみとして扱うようにするなら、ムーブを禁止する必要はなくなる。
【０１０７】
また、図１２（ｃ）の▲６▼’のように、チェックアウトコンテンツであるＭＤ１０１上の音楽コンテンツＭ１を、メモリカード１０３などの他の記録媒体にムーブすることも、このメモリカード１０３から、更に他のメディアにコピーできないように管理されるのであれば問題はない。
このような制御がなされるのであれば、チェックアウトコンテンツについてムーブを許可することが考えられる。
【０１０８】
図１３に、図１２（ｂ）の▲６▼’のようにチェックアウトコンテンツをＨＤＤ３１にムーブ許可する場合のＣＰＵ２１の処理を示す。
なお、図７と同一処理は同一のステップ番号を付し、説明を省略する。
この場合、ＨＤＤ３１へのムーブ要求発生時の処理として、ステップＦ１０３ａとして示すようにＭＤメディアチェック処理が図７の場合と異なる。ステップＦ１０３ａのＭＤメディアチェック処理を図１４に示す。
【０１０９】
この図１４も、上記図８と同一処理について同一のステップ番号を付している。
そしてこの図１４の処理では、ステップＦ２０３でムーブ対象がチェックアウトコンテンツであると判断された場合に、ステップＦ２０６に進み、チェックアウト権を付与しないムーブを許可する処理が行われる。
【０１１０】
図１３においては、ＭＤメディアチェック処理結果によりムーブ許可となった場合にステップＦ１０５からＦ１０６〜Ｆ１０９の処理により、ムーブ実行処理が行われる。即ちデータの転送と、ムーブ元でのデータ消去である。
そしてステップＦ１０９でムーブ元でのデータ消去が確認されたら、ステップＦ１２０として、今回のムーブは図１４のステップＦ２０６でチェックアウト権付与無しのムーブとして設定されたものであるか否かが判別される。チェックアウト権付与無しのムーブではないムーブのときは、ステップＦ１１０に進み、図７で説明したように▲２▼のムーブが完了されることになる。
一方、チェックアウト権付与無しのムーブとされている場合は、ステップＦ１２１に進み、ＨＤＤに仮記録されているデータが、チェックアウト／チェックイン管理されないファイル、つまり音楽ライブラリに登録されないファイルとして管理され、しかもコピー禁止ファイルとして管理されるように、管理情報が設定されるものとなる。
【０１１１】
なお、ここではＨＤＤ３１へムーブする場合として述べたが、図１２（ｃ）のようにメモリカード１０３などのメディアへチェックアウトコンテンツをムーブすることもできる。その場合は、ＣＰＵ２１は、例えばＭＤドライブ３６に装填されたＭＤ１０１に記録されているチェックアウトコンテンツを、メモリカードスロット４１に装着されているメモリカード１０３にムーブさせる処理を行うものとなるが、そのときメモリカード１０３において、ムーブしたデータはコピー禁止データとして管理されるように制御することになる。
また、ＨＤＤ３１からメモリカード１０３にチェックアウトしたコンテンツを、メモリカード１０３からＭＤ１０１にムーブする場合も、同様である。
【０１１２】
以上、実施の形態としての例を説明してきたが、本発明は上記例に限定されるものではない。記録再生装置１の構成やムーブの際の処理手順、ムーブ元、ムーブ先のメディア種別など、各種変形例が考えられる。
【０１１３】
本発明のプログラムは、上述した記録再生装置におけるムーブ処理を実現させるプログラムである。
さらに、そのような本発明のプログラムが記録された本発明のプログラム記録媒体によれば、プログラムの提供が容易となり、本発明を広く提供できる。例えば記録装置の設計に好適となる。
【０１１４】
本発明のプログラムは、記録再生装置に内蔵されている記録媒体としてのＨＤＤ３１や、メモリ部２３内のＲＯＭ等に予め記録しておくことができる。
あるいはまた、フレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ）、ＭＯ（Ｍａｇｎｅｔ　ｏｐｔｉｃａｌ）ディスク、ＤＶＤ（Ｄｉｇｉｔａｌ　Ｖｅｒｓａｔｉｌｅ　Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウェアとして提供することができる。
また本発明のプログラムは、リムーバブル記録媒体からインストールする他、ダウンロードサイトから、ＬＡＮ（Ｌｏｃａｌ　Ａｒｅａ　Ｎｅｔｗｏｒｋ）、インターネットなどのネットワークを介してダウンロードすることもできる。
【０１１５】
【発明の効果】
以上の説明からわかるように本発明によれば、第２の記録媒体（例えばＨＤＤ）には、第１の記録媒体（例えばＭＤ等）に記録されているデータは、記録媒体の種別やデータ属性によって移動（ムーブ）可能となる。これによりユーザーはＳＣＭＳコンテンツのように第２世代のデジタルコピーが禁止されるものであっても、第２の記録媒体（ＨＤＤ）でホームサーバ（音楽ライブラリ）に登録してチェックアウト／チェックイン管理できるようになる。つまりユーザーにとってデータの利用範囲を適切に広げることができ、使用性が向上される。
そしてこのときの移動許可の条件として第１の記録媒体においてデータ消去が可能であり、コピーではなくムーブ動作とできること、第１の記録媒体がＳＣＭＳ等の第２世代へのコピーが禁止される規格を採用したメディアであることを課すことで、ＳＣＭＳコンテンツがコピーとして複製されるものではないことになるため、ＳＣＭＳ方式の趣旨を保ったまま、チェックアウト／チェックイン管理が可能となる。つまり著作権保護機能を維持できる。
もちろん、移動のためのデータ転送の際は、一旦データを仮記録状態としておき、一次記録媒体において当該データの消去が確認された上で、記録状態とされることで、「複製」ではなく確実に「移動」とすることができ、確実に著作権保護機能を保つことができる。
【０１１６】
また、上記の移動により第２の記録媒体（ＨＤＤ）に記録したデータについては、所定回数だけ他の記録媒体に複製する権利を備えるように管理させるが（つまりチェックアウト／チェックイン管理）、複製する権利が上記所定回数残されているデータ、つまり１回もチェックアウトされていない状態のデータについては、上記第２の記録媒体から上記第１の記録媒体もしくは他の記録媒体へのデータ移動を許可することで、ユーザーがデータを柔軟に扱うことができ、しかもデータ複製が発生しないため、著作権保護機能が保たれる。
【０１１７】
また、上記第１の記録媒体（ＭＤ等）に記録されているデータが第２の記録媒体（ＨＤＤ）から複製されたチェックアウトデータである場合は、第２の記録媒体への移動を禁止することで、１つの音楽データ等についてチェックアウト権利回数を増加させ著作権保護を無効化する事態を発生させないようにすることができる。
或いは、上記第１の記録媒体（ＭＤ等）に記録されているデータが第２の記録媒体（ＨＤＤ）から複製されたチェックアウトデータである場合に、第２の記録媒体或いは他の第４の記録媒体への移動を、他の記録媒体に複製する権利を有さないように管理させる。そしてコピー不能とするように管理させるのであれば、著作権保護を無効化する事態は発生しないため、その移動を許可することでユーザーがデータを柔軟に扱うことができるようになる。
【０１１８】
また本発明のプログラムによれば、上記効果を奏する記録装置を実現でき、本発明のプログラム記録媒体によれば、上記の効果を実現する記録装置の実現及び広範な提供に適している。
【図面の簡単な説明】
【図１】本発明の実施の形態のシステム構成のブロック図である。
【図２】実施の形態の記録再生装置のブロック図である。
【図３】実施の形態のムーブ／チェックアウト／チェックインの説明図である。
【図４】実施の形態のＳＣＭＳデータのＨＤＤへのムーブの説明図である。
【図５】実施の形態のチェックアウト／チェックイン管理及びチェックアウトデータのムーブ禁止の説明図である。
【図６】実施の形態のＨＤＤからのムーブの管理の説明図である。
【図７】実施の形態のＨＤＤへのムーブ要求発生時の処理のフローチャートである。
【図８】実施の形態のＭＤメディアチェック処理のフローチャートである。
【図９】実施の形態のＣＤメディアチェック処理のフローチャートである。
【図１０】実施の形態のＨＤＤから他のメディアへのムーブ要求発生時の処理のフローチャートである。
【図１１】ミニディスクのＵ−ＴＯＣの説明図である。
【図１２】実施の形態においてチェックアウトデータをムーブ許可する場合の説明図である。
【図１３】実施の形態においてチェックアウトデータをムーブ許可する場合を含むＨＤＤへのムーブ要求発生時の処理のフローチャートである。。
【図１４】実施の形態においてチェックアウトデータをムーブ許可する場合を含むＭＤメディアチェック処理のフローチャートである。
【符号の説明】
１，２０　記録再生装置、２１　ＣＰＵ、２９　ＣＤ／ＤＶＤドライブ、３１ＨＤＤ、３２　通信処理部、３４　オーディオデータ処理部、３６　ＭＤドライブ、４０　外部インターフェース、４１　メモリカードスロット
【図１】
2004054988.tif 000004
【図２】
2004054988.tif 000005
【図３】
2004054988.tif 000006
【図４】
2004054988.tif 000007
【図５】
2004054988.tif 000008
【図６】
2004054988.tif 000009
【図７】
2004054988.tif 000010
【図８】
2004054988.tif 000011
【図９】
2004054988.tif 000012
【図１０】
2004054988.tif 000013
【図１１】
2004054988.tif 000014
【図１２】
2004054988.tif 000015
【図１３】
2004054988.tif 000016
【図１４】
2004054988.tif 000017